(57)【要約】【課題】酸素分子を酸化剤として用いて、触媒が変質・分解することなく，反応後の触媒は分離・再利用しやすく、工業的に有用なプロピレンオキシドを高められた収率で得ることのできる新規な固体触媒および該触媒を用いた工業的に有利なプロピレンオキシドの製造方法を提供する。【解決手段】（ｉ）金属過酸化物と（ｉｉ）貴金属化合物をメソ多孔体に固定化した固体触媒。この触媒を用いて、好ましくはメタノール溶媒の中で、プロピレンを分子状酸素含有ガスと接触・酸化させてプロピレンオキシドを得る。反応後の触媒は濾過により簡単に回収できる。回収した触媒は再びプロピレンの酸化に用いる際に、劣化を伴うことなく高収率でプロピレンオキシドを合成することができる。【選択図】なし【特許請求の範囲】
【請求項１】
プロピレンの酸化によりプロピレンオキシドを製造する際に用いられる触媒であって、（ｉ）金属過酸化物と（ｉｉ）貴金属化合物をメソ多孔体に固定化させたことを特徴とするプロピレンオキシドの製造用触媒。
【請求項２】
（ｉ）金属過酸化物が下記一般式（１）で表されるものであることを特徴とする請求項１に記載のプロピレンオキシドの製造用触媒。
Ａｍ・[ＭｘＯ２-ｙ(μ-Ｏ２)２-ｚ]                                （１）
（式中、Ａは対カチオン、Ｍは周期律表第Ｖ族及び第ＶＩ族から選ばれた少なくとも一種の元素、ｍは１〜１６の整数、ｘは１〜３２の整数、ｙは１〜６４の整数、ｚは１〜１６の整数である]
【請求項３】
（ｉｉ）貴金属化合物がパラジウム化合物であることを特徴とする請求項１又は２に記載のプロピレンの製造用触媒。
【請求項４】
メソ多孔体が、2〜50ナノメートルの細孔を有するものであることを特徴とする請求項１〜３何れかに記載のプロピレンの製造用触媒。
【請求項５】
メソ多孔体の表面がカップリング剤で修飾されていることを特徴とする請求項４に記載のプロピレンの製造用触媒。
【請求項６】
カップリング剤が有機アミノシラン化合物であることを特徴とする請求項５に記載のプロピレンの製造用触媒。
【請求項７】
請求項１乃至６何れかに記載の触媒の存在下で、プロピレンを酸素分子により酸化することを特徴とするプロピレンオキシドの製造方法。
【発明の詳細な説明】
【技術分野】
【０００１】
本発明は、プロピレンオキシド樹脂の原料並びに有機化学薬品の中間体として工業上極めて重要な化学製品であるプロピレンオキシドを製造する際に用いられる触媒に関する。更に詳しくは、酸素分子を用い、プロピレンの酸化によりプロピレンオキシドを製造する際に用いられる新規な触媒系およびこのものを用いたプロピレンオキシドの製造方法に関する。
【背景技術】
【０００２】
従来、プロピレンからのプロピレンオキシドの製造は、プロピレンクロロヒドリンを経由する方法、および有機過酸化物を用いて酸化する方法が工業化されている。クロロヒドリン法は環境汚染をもたらし，過酸化水素や有機過酸化物が高価であると共に、過酸化物の危険性や、反応後の有機副生成物の有効利用など、問題点がある。
このような問題点を克服するために、環境面や経済性を考慮すると安価且つクリーンな酸素分子によるプロピレンの直接酸化法が切望されている。
【０００３】
前記のような観点から、新しい触媒系によるプロピレンからプロピレンオキシドを合成する方法の開発に多くの研究が向けられてきた。酸素を用いるプロピレンの酸化方法が提案された(特許文献１、非特許文献１)が、プロピレンオキシド収率は高々0.1%以下である。またTi/SiO2等の触媒存在下、酸素と光を用いる方法においてすら、5%程度のプロピレンオキシド収率にとどまっていた(非特許文献２)。エチレンのエポキシ化用の銀触媒はプロピレンの直接酸化に用いると，10%程度の転化率と30%程度のプロピレンオキシドへの選択率を示した(非特許文献３)。
【０００４】
一方、本発明者らは、先にプロピレンの分子状酸素による酸化によりプロピレンオキシドを製造する際に用いられる触媒として、金属過酸化物と貴金属化合物を併用したプロピレンオキシド製造用触媒を提案した(非特許文献４)。この方法によれば40%程度の転化率で80％程度のプロピレンオキシドへの選択率を得ることができる。
【０００５】
しかし，かかる触媒系は、酸化反応系中で金属過酸化物がメタノールなどの溶媒に溶解するため、反応後、反応液から金属過酸化物を分離し、循環使用するに当たっては、蒸留装置等の高価な装置を用いて金属酸化物を回収することが必要となり、また場合によっては該蒸留操作により金属酸化物や生成物が分解変質する恐れがあるため、連続法による工業的なプロピレンオキシドの製造方法には不向きであるといった問題点があった。
【０００６】
欧州特許公開0640598 A1 (1995);
【特許文献１】欧州特許公開0640598 A1号公報 (1995);
【非特許文献１】渡辺、上松、辰巳、第82回触媒討論会、4D312(1998,p.93)
【非特許文献２】H.Yoshida, C.Murata, and T.Hattori,Chem.Commun., 1551-1552(1999
【非特許文献３】A. Palermo, A. Husain, M.S. Tikhov, R.M. Lambert, J.Catal. 207, 331-340 (2002)
【非特許文献４】Y. Liu, K.Murata, and M. Inaba, Chem.Commun.,582-583(2004)
【発明の開示】
【発明が解決しようとする課題】
【０００７】
本発明は、酸素分子を酸化剤として用いて、触媒が変質・分解することなく，反応後の触媒は分離・再利用しやすく、工業的に有用なプロピレンオキシドを高められた収率で得ることのできる新規な固体触媒および該触媒を用いた工業的に有利なプロピレンオキシドの製造方法を提供することを目的とする。
【課題を解決するための手段】
【０００８】
本発明者らは、前記課題を解決すべく鋭意研究を重ねた結果、貴金属化合物と金属過酸化物をメソ多孔体に固定化した複合触媒をプロピレンの酸化触媒として用いると、生成物と触媒の分離が極めて簡便になることを見出し、本発明を完成するに至った。
即ち、本発明によれば、以下の発明が提供される。
（１）プロピレンの酸化によりプロピレンオキシドを製造する際に用いられる触媒であって、（ｉ）金属過酸化物と（ｉｉ）貴金属化合物をメソ多孔体に固定化させたことを特徴とするプロピレンオキシドの製造用触媒。
（２）（ｉ）金属過酸化物が下記一般式（１）で表されるものであることを特徴とする上記（１）に記載のプロピレンオキシドの製造用触媒。
Ａｍ・[ＭｘＯ２-ｙ(μ-Ｏ２)２-ｚ]                                （１）
（式中、Ａは対カチオン、Ｍは周期律表第Ｖ族及び第ＶＩ族から選ばれた少なくとも一種の元素、ｍは１〜１６の整数、ｘは１〜３２の整数、ｙは１〜６４の整数、ｚは１〜１６の整数である）
（３）（ｉｉ）貴金属化合物がパラジウム化合物であることを特徴とする上記（１）又は（２）に記載のプロピレンの製造用触媒。
（４）メソ多孔体が、2〜50ナノメートルの細孔を有するものであることを特徴とする上記（１）〜（３）何れかに記載のプロピレンの製造用触媒。
（５）メソ多孔体の表面がカップリング剤で修飾されていることを特徴とする上記（４）に記載のプロピレンの製造用触媒。
（６）カップリング剤が有機アミノシラン化合物であることを特徴とする上記（５）に記載のプロピレンの製造用触媒。
（７）上記（１）乃至（６）何れかに記載の触媒の存在下で、プロピレンを酸素分子により酸化することを特徴とするプロピレンオキシドの製造方法。
【発明の効果】
【０００９】
本発明に係る、（ｉ）金属過酸化物と（ｉｉ）貴金属化合物をメソ多孔体に固定化した触媒は、プロピレンを分子状酸素で酸化してプロピレンオキシドを製造する際の触媒として有効性を発揮し、反応後の触媒を簡単に分離でき、触媒の変質・分解を生ずることなく、工業的に有用なプロピレンオキシドを高収率で得ることができる。
【発明を実施するための最良の形態】
【００１０】
本発明に用いられるプロピレンの酸化触媒は、（ｉ）金属過酸化物（過酸化酸素基（μ-Ｏ２２-）を含有する金属過酸化物）と貴金属化合物をメソ多孔体に固定化固体触媒である。過酸化酸素基（μ-Ｏ２２-）を含有する金属過酸化物触媒は酸化触媒の機能をし、プロピレンを酸化し、プロピレンオキシドを合成する。（ｉｉ）貴金属化合物は溶媒と作用し、分子状酸素を活性化することにより、過酸化酸素基（μ-Ｏ２２-）を含有する金属過酸化物触媒の過酸化酸素基を再生する。こうして、プロピレンのエポキシ化反応を触媒的に進行させる。
【００１１】
本発明で用いる（ｉ）金属過酸化物に特に制限はないが、下記一般式（１）で示される金属過酸化物を用いることが好ましい。
Ａｍ・[ＭｘＯ２-ｙ(μ-Ｏ２)２-ｚ]                                （１）
（式中、Ａは対カチオン、Ｍは元素周期律表第５族及び第６族元素の一種或いは多種の組み合わせ、ｍは１〜１６の整数、ｘは１〜３２の整数、ｙは１〜６４の整数、ｚは１〜１６の整数である）
一般式（１）における、過酸化酸素基（μ-Ｏ２２-）を含む金属過酸化物アニオン[ＭｘＯ２-ｙ(μ-Ｏ２)２-ｚ]には、たとえば、単核金属過酸化物、イソポリ化合物の過酸化物、ヘテロポリ化合物の過酸化物などが包含される。単核金属過酸化物の具体例としては、たとえば、［ＷＯ（μ-Ｏ２）２（Ｈ２Ｏ）２］Ｏ｝、［ＷＯ（μ-Ｏ２）２］、［ＭｏＯ（μ-Ｏ２）２］、［ＲｅＯ（μ-Ｏ２）２］、［Ｆｅ（μ-Ｏ２）］が、イソポリ化合物の過酸化物としては、［Ｗ４Ｏ４（μ-Ｏ２）８］、［Ｗ２Ｏ３（μ-Ｏ２）４（Ｈ２Ｏ）２］、［Ｍｏ２Ｏ３（μ-Ｏ２）４（Ｈ２Ｏ）２］が、ヘテロポリ化合物の過酸化物としては、｛ＰＯ４［Ｗ（Ｏ）（μ-Ｏ２）２］４｝、｛ＰＯ４［Ｍｏ（Ｏ）（μ-Ｏ２）２］４｝、｛（ＨＰＯ４）［Ｗ２Ｏ２（Ｏ２）２（μ-Ｏ２）２］｝、｛ＳｉＯ２［ＭｏＯ２（Ｏ２）２（μ-Ｏ２）２］｝、｛ＳｉＯ［ＭｏＯ（μ-Ｏ２）２］｝、｛ＳｉＯ２［ＷＯ２（Ｏ２）２（μ-Ｏ２）２］｝、｛ＳｉＯ［ＷＯ（μ-Ｏ２）２］｝などが挙げられる。その中ヘテロポリ化合物の過酸化物が好ましく、特に｛ＰＯ４［Ｗ（Ｏ）（μ-Ｏ２）２］４｝が好ましい。
【００１２】
前記（ｉ）の金属過酸化物と併用される（ｉｉ）の貴金属化合物とは、貴金属を含む錯体、酸化物、塩化物などの化合物を意味する。貴金属化合物に特に制限はないが、好ましくはイオン交換法により貴金属アニオンをメソ多孔体の細孔内に導入するため、貴金属化合物は溶媒の水やエタノールに溶解しやすいものが望ましい。このような貴金属化合物の具体例としてはパラジウム、白金、金、銀などの「ハロゲン化物」、硫酸塩、硝酸塩、酢酸塩などの「金属酸塩化合物」、テトラクロロ金属酸塩ナトリウム、ヘキサクロロ金属酸塩カリウム、テトラアンミン金属ハロゲン化物などの「配位金属化合物」、テトラキストリフェニルフォスフィン金属化合物などの「有機金属化合物」などが挙げられる。特にテトラアンミンパラジウム塩化物などのパラジウム化合物が好ましい。
【００１３】
固定化に用いられるメソ多孔体（メソポーラス化合物）とは、均一で規則的な配列のメソ孔（直径2〜50ナノメートル）を持つ多孔質材料を意味する。シリカ系メソ多孔体は最も普通で、ヘキサゴナルメソポーラスシリカ(HMS)、MCM-41、H-ZSM-5、フェリエライト、モルデナイト、FSM-16などが挙げられる。シリカ系メソ多孔体以外に、セリアメソ多孔体、ジルコニアメソ多孔体、チタンニアメソ多孔体などにも用いられる。
【００１４】
本発明でも使用するメソ多孔体に特に制限はないが、固定化機能に優れるメソ多孔体特に、その表面がカップリング剤で修飾されているメソ多孔体を用いることが望ましい。  カップリング剤としては有機アミノシラン化合物（Ａ）が用いられる。有機アミノシラン化合物としては、トリメトキシ(3-アミノプロピル)シラン、アミノフェニルトリメトキシシラン、トリエトキシ(3-アミノプロピル)シラン、トリメトキシ(プロピルアミノ)シランなどが挙げられる。
【００１５】
シランカップリング剤で修飾されたメソポーラス化合物は、たとえば有機アミノシラン化合物(A)、メソポーラス形成化合物(B)、鋳型化合物(C)から合成される。すなわち、(B)および（ｃ）と共にアミノ基の付いた有機シラン化合物(A)を合成時に共存させることにより、メソポーラス材料の表面がアミノ基で修飾され、金属過酸化物を固定化することができる。
(B)としてはテトラエトキシシラン、テトライソプロポキシシランなどのシラン化合物、(C)としては、ドデシルアミン、ヘキサデシルアミンなどのアルキルアミン類、テトラデシルトリメチルアンモニウムブロマイドなどのハロゲン化４級アンモニウム化合物などが挙げられる。この時の(B)に対する(A)の使用割合は、重量比で0.001〜10、好ましくは0.05〜1、また(B)に対する(C)の使用割合は、0.01〜100、好ましくは0.05〜5である。こうして表面に形成された有機アミノ基は、P2O5、POCl3などとの反応およびイソポリ化合物との反応により、たとえば最も好ましい構造の金属過酸化物であるヘテロポリ化合物を表面に固定化することができる。さらに、パラジウム化合物などの配位金属化合物と反応させることにより、最終的に使用する触媒とすることができる。
【００１６】
本発明の複合触媒は、メソポーラス多孔体に（ｉ）金属過酸化物と（ｉｉ）貴金属化合物を固定化することにより得られる。（ｉ）金属過酸化物と（ｉｉ）貴金属化合物との使用割合に特に制限はないが、通常、金属過酸化物に対する貴金属化合物（貴金属換算）の重量比で0.0001〜5、好ましくは0.005〜0.1である。
メソポラース多孔体に前記（ｉ）金属過酸化物と（ｉｉ）貴金属化合物を固定化する方法としては、通常の触媒調製に用いられる方法、たとえば含浸法、沈殿法、混ねい法、インシピエントウェットネス法など、また化学結合形成法、イオン交換法などがある。本発明で好ましく使用される固定化方法は、金属過酸化物は化学結合法、貴金属化合物はイオン交換法である。化学結合法によれば、金属過酸化物の反応中における溶媒中への溶出は避けられる。またイオン交換法によりメソ孔中に導入した貴金属化合物は、メタノール等の溶媒による還元により０価の貴金属状態となり、溶媒に不溶になるので、金属過酸化物と同様に、反応後に溶媒と分離できる。
【００１７】
本発明で用いられる代表的な複合触媒を図１により説明する。図１に示されるように、反応前の複合触媒は、1)溶媒に可溶なメソ孔中の金属イオン、2)メソポーラス材料表面に化学結合したアルキルアミン構造(シランカップリング剤から生成)、3)アミンに化学結合したヘテロポリ化合物の過酸化物、といった構造を有する。かかる複合触媒は反応後には、金属イオンが還元されて溶媒に不溶な金属となることから、すべての触媒構造が不溶化する。こうして、濾過等の簡単な操作により触媒と生成物が容易に分離できることになり、反応操作上極めて有益な触媒を得ることができる。
【００１８】
本発明の反応方法は気相及び液相のいずれで行うこともできるが、プロピレンと酸素の滞留時間を長くとりやすいことから、液相がより好ましい。溶媒としては、メタノールやエタノール等のアルコール類、アルデヒド類、塩化炭化水素類などが用いられるが、還元性があるアルコール類、アルデヒド類が望ましい。酸素との親和性の高さの観点からみて、最も望ましいのはメタノールである。
【００１９】
また、液相での反応温度は、50〜500℃、好ましくは70〜200℃の条件下であり、また反応圧力は任意であるが加圧が好ましく、0.01Mpa〜100Mpa、好ましくは0.3Mpa〜5Mpaである。酸素の使用割合は、プロピレン１モル当たり、0.05〜10モル、好ましくは1〜0.2モルの割合である。触媒は使用されるプロピレン1モルに対して、0.001〜0.5モル、好ましくは0.01〜0.1モルが用いられる。原料オレフィンは、窒素、ヘリウム、アルゴンガス等の不活性ガスで希釈して用いることができる。
【実施例】
【００２０】
以下に実施例を挙げて本発明を具体的に説明する。本発明は実施例を示すことで、より具体的に示すが、これらの実施例に限定されるものではない。以下の実施例は本発明の実施態様を説明している。実施例中の酸化反応の分析は島津製作所製ＧＣ９Ａ型ガスクロマトガラフィーを用いて測定し、酸化生成物の収率は原料のオレフィン基準で示し。
【００２１】
実施例１(触媒の調製)
HMS-PrNH2：溶液Ａ:18.5ｇ(0.09 mol)のテトラエトキシシランと1.79ｇ(0.01ｍｏｌ)のトリメトキシ(3-アミノプロピル)シランを混合する。溶液Ｂ:5.09ｇのn-ドデシルアミンを41ｇのエタノールと53ｇの蒸留水の混合溶液に溶解させる。500ｍｌのビーカーを用い、室温で溶液Ａを溶液Ｂに滴下し，１８時間攪拌した後、濾過する。得た白い沈殿を蒸留水で洗い、室温で乾燥させてHMS-PrNH2を合成する。合成したHMS-PrNH2を60℃で500ｍｌのエタノールに添加し、6時間攪拌し、HMS-PrNH2の細孔内の界面活性剤を除去する。
【００２２】
HMS-PrNH(PO3H2)：200ｍｌのビーカーを用い、0.25ｇのPOCl3を30ｍｌのアセトニトリルに添加し，さらにこの溶液に0.5ｇのHMS-PrNH2を添加し，室温で24時間攪拌した後、濾過する。得た白い沈殿を蒸留水で洗浄し、0.1Nの燐酸に加え、室温で6時間攪拌した後、濾過する。
【００２３】
[W2O3(O2)4(H2O)2]2-溶液：100ｍｌのビーカーを用い、60℃で2.5ｇ(10ｍｍｏｌ)タングステン酸を30％の過酸化水素7ｍｌに溶解させ、室温に冷却した後、1時間攪拌する。
【００２４】
HMS-PrNH-PW2：0.25ｇのHMS-PrNH(PO3H2)と8ｍｌのアセトンと1ｍｌの30％の過酸化水素を2.5ｍｌの[W2O3(O2)4(H2O)2]2-溶液に添加し、室温で6時間攪拌した後、濾過する。得た白い沈殿をアセトンと30％の過酸化水素により洗浄し、風乾する。
【００２５】
Pd-HMS-PrNH-PW2：0.055ｇのPd(NH3)4Cl2を40ｍｌ蒸留水に溶解させる。この溶液に1ｇのHMS-PrNH-PW2粉末を添加し、室温で16時間攪拌した後、濾過する。得た沈殿を蒸留水により洗浄し、風乾する。
上記のPd-HMS-PrNH-PW2の合成方法を以下のスキームで表記される。
【００２６】
【表１】
2006068622.tif 000002
【００２７】
実施例２
プロピレンのエポキシ化反応を行った。メタノール10ｍｌの入った50ｍｌのオートクレーブ反応容器に0.2ｇのPd-HMS-PrNH-PW2触媒を加える。プロピレン0.8ＭＰａ、酸素0.4ＭＰａ、アルゴン0.8ＭＰａを導入して、反応器を密閉し、100℃に保ち、激しく攪拌ながら反応を続けた。反応後、反応液を室温に下げて気体生成物と液体生成物をそれぞれガスクロマトガラフィーにより分析した。100℃で反応後６時間の生成物をガスクロマトグラフにより分析したところ、プロピレン転化率34.1％、選択率83.2％にてプロピレンオキシドが生成した。副生物として、アクロレイン（3.0％）、アセトン（2.8％）、プロパン（5.4％）、炭化水素(1.2％、Ｃ４〜Ｃ６の和)が検出され、他の生成物も少量認められた。
【００２８】
実施例３
実施例１の反応後の溶液を濾過し、反応後の触媒を得た。この反応後の触媒を用い、再び実施例１と同じ操作を行った。その結果，反応６時間後プロピレンの転化率は35.3％であり、プロピレンオキシドへの選択率は83.5％であった。反応後の触媒は濾過により簡単に回収できる。回収した触媒は劣化を伴うことなく高収率でプロピレンオキシドを合成することができた。
【００２９】
比較例１
実施例２において、触媒Pd-HMS-PrNH-PW2をHMS-PrNH-PW2に代えた以外は、全て実施例１と同じ方法で実験を行った。その結果、反応６時間後プロピレンの転化率は1.7％であり、プロピレンオキシドへの選択率は88.6％であった。
【００３０】
比較例２
実施例２において、触媒Pd-HMS-PrNH-PW2をPd-HMS-PrNH(PO3H2)に代えた以外は、全て実施例１と同じ方法で実験を行った。その結果、反応６時間後プロピレンの転化率は3.4％であり、プロピレンオキシドへの選択率は4.3％であった。
【００３１】
比較例３
実施例２において、触媒Pd-HMS-PrNH-PW2をPd-HMS-PrNH2に代えた以外は、全て実施例１と同じ方法で実験を行った。その結果、反応６時間後プロピレンの転化率は2.9％であり、プロピレンオキシドへの選択率は5.1％であった。
【図面の簡単な説明】
【００３２】
【図１】本発明の代表的な複合触媒の説明図
【図１】
2006068622.tif 000003